(57)【要約】    【課題】  停電時における交流電力供給と同時の室内照明を可能とし、電動機器の電力と室内の明るさを同時に確保することにより、以後の電動機器操作等を容易化できる無停電電源装置を提供すること。    【解決手段】  非停電時に商用電力にて内蔵した蓄電池２を充電手段２０によって充電し、停電時には遮断検知手段３による検知に基づき該蓄電池２からＡ／Ｃインバータ２１を経て得られる交流電力を交流出力部７により供給する無停電電源装置１において、停電時に蓄電池２からの直流もしくは交流電力により自動点灯して本装置１本体から離れた場所における照明として機能できる室内照明具４と、停電／非停電時における室内照明具４の点灯／消灯を交流電力供給の制御を行う交流供給制御手段５と連動して制御するための照明点灯制御手段６とを備えていることを主たる構成とする。【選択図】  図１
2006187069.tif 000002
【特許請求の範囲】
【請求項１】
非停電時に商用電力にて内蔵した蓄電池を充電し、停電時には遮断検知手段による検知に基づき該蓄電池から交流電力を供給する無停電電源装置において、停電時に該蓄電池からの直流もしくは交流電力により自動点灯して本装置本体から離れた場所における照明として機能できる室内照明具と、停電／非停電時における該室内照明具の点灯／消灯を該交流電力供給の制御と連動して制御するための照明点灯制御手段とを備えていることを特徴とする、無停電電源装置。
【請求項２】
非停電時か停電時かに関わらず、交流電力供給電源として前記商用電源か蓄電池かいずれかの使用を選択できる駆動電源切替手段を備えていることを特徴とする、請求項１に記載の無停電電源装置。
【請求項３】
非停電時であっても前記室内照明具を点灯／消灯させることのできる点灯／消灯切替手段を備えていることを特徴とする、請求項１または２に記載の無停電電源装置。
【請求項４】
前記室内照明具は、本装置本体に接続されたもしくは接続できるケーブルと、該ケーブルに接続された照明灯とを備えてなることを特徴とする、請求項１ないし３のいずれかに記載の無停電電源装置。
【請求項５】
前記蓄電池を充電する充電回路部における発熱を検知するための発熱検知手段と、該発熱検知手段による検知に基づき本装置に備えられた空気冷却装置の運転を制御するための空冷装置制御手段を備えていることを特徴とする、請求項１ないし４のいずれかに記載の無停電電源装置。
【発明の詳細な説明】
【技術分野】
【０００１】
本発明は無停電電源装置に係り、特に、停電時における交流電力供給と同時の室内照明を可能とし、電動機器の電力と室内の明るさを同時に確保することにより、以後の電動機器操作等を容易化できる、無停電電源装置に関する。
【背景技術】
【０００２】
近年、高齢者の増加により、電動福祉機器は急激に進歩し、需要も急増している。たとえば、電動ベッド・立ち上がり補助椅子・リフト等、また、電動車椅子・シルバーカー等の輸送用機械がある。これらの機器において、停電等の緊急時における予備電源としては従来、乾電池が主として多用されている。また、輸送用機械については、主電源として蓄電池が用いられていることも多い。
【０００３】
他方、無停電電源装置は情報機器分野等において多用されているが、その中には、停電時の暗い中での操作を容易化するために装置本体に照明灯を装備したものも提供されている。
【０００４】
また、非常時の照明装置としても従来、種々の観点から提案がなされている。たとえば後掲特許文献１は、１つの照明負荷が不点になっても十分な光出力が得られる誘導灯装置であり、特許文献２は、電気特性の異なる放電ランプの種類によらず電源装置と電池等の標準化ができる非常用照明装置である。
【０００５】
【特許文献１】特開平８−８０７５「誘導灯装置」
【特許文献２】特開２００１−２８４０６７「非常用照明装置」
【発明の開示】
【発明が解決しようとする課題】
【０００６】
しかし、特に電動福祉機器を含む福祉分野においては、以下のような問題点があった。
（ａ）予備電源としての乾電池は、電気容量が少なく電圧も低いため、せいぜい機器の状態を初期位置に戻す程度の能力しか発揮できず、停電時の非常電源としては不充分である。
（ｂ）蓄電池は、上述のように輸送用機械には用いられてはいるが、他の機器には利用されていない。
【０００７】
（ｃ）情報機器分野等で提供されている無停電電源装置を用いれば、電動機器の作動は可能なものの、停電に伴う室内照明の点灯には対応できず、結局電動機器の作動・操作が不便、困難となる上、災害等の緊急避難の際には、室内の暗さによって転倒等による怪我等、二次災害を引き起こす危険性もある。
（ｄ）従来の無停電電源装置には、充電回路部等の過熱防止のために強制空気冷却用のファンが設けられているが、これは常時運転されるため騒音が発生し、設備室ならともかく、居室等での使用には好ましくない。
【０００８】
本発明が解決しようとする課題は、上記従来技術の問題点を除き、停電時における交流電力供給と同時の室内照明を可能とし、電動機器の電力と室内の明るさを同時に確保することにより、以後の電動機器操作等を容易化できる、無停電電源装置を提供することである。また、特に福祉分野における電動機器用として、非常時の照明確保と安全確保、騒音発生の防止もしくは抑制の可能な、無停電電源装置を提供することである。
【課題を解決するための手段】
【０００９】
本願発明者は上記課題について検討した結果、装置に別途、室内用の照明具を設けることによって上記課題の解決が可能であることを見出し、本発明に至った。すなわち、上記課題を解決するための手段として本願で特許請求される発明、もしくは少なくとも開示される発明は、以下のとおりである。
【００１０】
（１）  非停電時に商用電力にて内蔵した蓄電池を充電し、停電時には遮断検知手段による検知に基づき該蓄電池から交流電力を供給する無停電電源装置において、停電時に該蓄電池からの直流もしくは交流電力により自動点灯して本装置本体から離れた場所における照明として機能できる室内照明具と、停電／非停電時における該室内照明具の点灯／消灯を該交流電力供給の制御と連動して制御するための照明点灯制御手段とを備えていることを特徴とする、無停電電源装置。
（２）  非停電時か停電時かに関わらず、交流電力供給電源として前記商用電源か蓄電池かいずれかの使用を選択できる駆動電源切替手段を備えていることを特徴とする、（１）に記載の無停電電源装置。
（３）  非停電時であっても前記室内照明具を点灯／消灯させることのできる点灯／消灯切替手段を備えていることを特徴とする、（１）または（２）に記載の無停電電源装置。
（４）  前記室内照明具は、本装置本体に接続されたもしくは接続できるケーブルと、該ケーブルに接続された照明灯とを備えてなることを特徴とする、（１）ないし（３）のいずれかに記載の無停電電源装置。
（５）  前記蓄電池を充電する充電回路部における発熱を検知するための発熱検知手段と、該発熱検知手段による検知に基づき本装置に備えられた空気冷却装置の運転を制御するための空冷装置制御手段を備えていることを特徴とする、（１）ないし（４）のいずれかに記載の無停電電源装置。
【発明の効果】
【００１１】
本発明の無停電電源装置は上述のように構成されるため、これによれば、停電時における交流電力供給と同時の室内照明を可能とし、電動機器の電力と室内の明るさを同時に確保することにより、以後の電動機器操作等を容易化することができる。また、特に福祉分野における電動機器用として、非常時の照明確保と安全確保ができ、騒音発生を防止もしくは抑制することができる。
【発明を実施するための最良の形態】
【００１２】
以下、本発明を図面により詳細に説明する。
図１は、本発明の無停電電源装置の基本構成を示すブロック図である。また、
図２は、本発明の無停電電源装置の別の構成例を示すブロック図である。これらに図示するように本無停電電源装置１は、非停電時に商用電力にて内蔵した蓄電池２を充電手段２Ｂによって充電し、停電時には遮断検知手段３による検知に基づき該蓄電池２からＤＣ／ＡＣインバータ２１を経て得られる交流電力を、交流出力部７により供給する無停電電源装置１において、停電時に該蓄電池２からの直流もしくは交流電力により自動点灯して本装置１本体から離れた場所における照明として機能できる室内照明具４と、停電／非停電時における該室内照明具４の点灯／消灯を該交流電力供給の制御を行う交流供給制御手段５と連動して制御するための照明点灯制御手段６とを備えていることを、主たる構成とする。
【００１３】
図２に示すように、該交流供給制御手段５と該照明点灯制御手段６とは、これらが一緒になって制御部１５を構成するものとすることもできる。
【００１４】
かかる構成により、本無停電電源装置１では、非停電時に商用電力にて内蔵した該蓄電池２が該充電手段２Ｂによって充電され、停電時には該遮断検知手段３による検知に基づき該蓄電池２からＤＣ／ＡＣインバータ２１を経て交流電力が得られ、これが該交流出力部７から供給されるという基本的作用がなされることに加え、停電時に該蓄電池２からの直流もしくは交流電力により該室内照明具４が自動点灯し、しかも本装置１本体から離れた場所における照明として機能することができ、また、該照明点灯制御手段６により、該交流供給制御手段５による該交流電力供給の制御と連動して、停電／非停電時における該室内照明具４の点灯／消灯制御がなされる。
【００１５】
すなわち、本無停電電源装置１を用いれば、停電時に自動的に交流供給がなされるのと連動して、装置１本体から離れた場所における照明として機能できる室内照明具４が点灯するため、福祉分野における電動機器用途の場合など、電動機器の電力と室内の明るさを同時に確保することができ、停電以後の電動機器操作等を容易化することができる。
【００１６】
図２において本装置１１は、非停電時か停電時かに関わらず、交流電力供給電源として、商用電源入力部１０から入力される商用電源か、または前記蓄電池２のいずれかの使用を選択することのできる駆動電源切替手段８を備えた構成とすることができる。
【００１７】
かかる構成により、非停電時、停電時に関わらず、前記交流出力部７から供給される交流の電源として、商用電力、蓄電池２いずれかを選択することができ、必要に応じて電源を任意に切り替えることができる。
【００１８】
図２に示すように、本無停電電源装置１１は、非停電時であっても前記室内照明具４を点灯／消灯させることのできる点灯／消灯切替手段９を備えた構成とすることもできる。
【００１９】
かかる構成により、該点灯／消灯切替手段９を用いることによって、非停電時であっても、該室内照明具４の点灯／消灯を任意に行うことができ、たとえば、非停電時であっても補助的な照明が必要な場合、局所での照明が必要な場合などに便利である。
【００２０】
図３は、本発明無停電電源装置の回路構成例を示す電気的ブロック図である。図中、コールドスイッチは、前記駆動電源切替手段によって、非停電時であっても蓄電池を電源として選択するためのものである。
【００２１】
図４は、本発明無停電電源装置を電動福祉機器に用いた一例を示す説明図である。図示するように本装置３１は、前記室内照明具３４が、本装置３１本体に接続されているかもしくは接続できるケーブル３４５と、該ケーブル３４５に接続された照明灯３４８とを備えてなる構成とすることができる。
【００２２】
かかる構成により、本室内照明具３４は、該ケーブル３４５を延ばして用いることができるため、エアーマット５０の枕元など、照明の必要な場所に自由自在に該照明灯３４８を移動させて用いることができ、便利である。一方、図においてエアーマットポンプ４０は、非停電時には通常、商用電源により作動するが、停電時には本装置３１に内蔵された蓄電池が電源となって交流供給がなされる。
【００２３】
以上説明した本発明無停電電源装置は、特に発熱の多い充電回路部における発熱を検知するための発熱検知手段と、該発熱検知手段による検知に基づき本装置に備えられた空気冷却装置すなわち空冷ファンの運転を制御するための空冷装置制御手段を備えた構成とすることができる。
【００２４】
かかる構成により、設定された温度と検知温度との比較により空冷装置の運転が制御され、冷却が不要な場合の運転を防止することができ、省エネルギー化できるとともに、騒音防止することもできる。
【産業上の利用可能性】
【００２５】
本発明の無停電電源装置は上述のように構成されるため、停電時における交流電力供給と同時の室内照明を可能とし、電動機器の電力と室内の明るさを同時に確保することにより、以後の電動機器操作等を容易化することができる。また、特に福祉分野における電動機器用として、非常時の照明確保と安全確保ができ、騒音発生を防止もしくは抑制することができる。したがって、特に福祉産業分野においても利用価値が高い発明である。
【図面の簡単な説明】
【００２６】
【図１】本発明の無停電電源装置の基本構成を示すブロック図である。
【図２】本発明の無停電電源装置の別の構成例を示すブロック図である。
【図３】本発明無停電電源装置の回路構成例を示す電気的ブロック図である。
【図４】本発明無停電電源装置を電動福祉機器に用いた一例を示す説明図である。
【符号の説明】
【００２７】
１、１１…無停電電源装置
２…蓄電池
２Ｂ…充電手段
２Ａ…ＤＣ／ＡＣインバータ
３…遮断検知手段
４…室内照明具
５…交流供給制御手段
６…照明点灯制御手段
７…交流出力部
８…駆動電源切替手段
９…点灯／消灯切替手段
１０…商用電源入力部
１５…制御部
３１…無停電電源装置
３１５…ＡＣコード
３４…室内照明具
３４５…ケーブル
３４８…照明灯
４０…エアーマットポンプ
５０…エアーマット
２１…商用電源
２２…ＡＣ／ＤＣコンバーター
２３…停電検出部
２４…充電回路
２５…蓄電池
２６…ＤＣ／ＡＣインバーター
２１０…コールドスイッチ
２７…ＡＣ負荷
２８…照明装置
２９切替え手段
【図１】
2006187069.tif 000003
【図２】
2006187069.tif 000004
【図３】
2006187069.tif 000005
【図４】
2006187069.tif 000006